(57)【要約】      （修正有）【課題】正常な水路に損傷を与えることなく不具合の生じた水路部分のみを、その一部を残して撤去し、撤去した区間には一部残した部分とその後に設置する別途新設のプレキャスト水路とを一体化させることで既設の水路と連続した水路を提供する。【解決手段】既存の不具合の生じた設置済水路本体の外側面より内側に沿った左右側壁部及びその下層部のベース部をカッターにより所定長を垂直に切断し、長手方向に直交する短手方向を水路本体及びその下層部となるベース部をカッターにより長手方向一定間隔毎に前後にわたって垂直に切断し、撤去コンクリートユニットを残存させた該左右側壁片及びその下層部のベース部片より分離して撤去し、撤去空間に撤去コンクリートユニットの短手方向幅よりやや小さめの幅を有する新水路をベース部の高さを調整した後に設置し、残存させた左右側壁片と新水路の左右外側壁との小空間にモルタルを充填して連続一体化させる。【選択図】図５
2018062781.tif 000002
【特許請求の範囲】
【請求項１】
既存の不具合の生じた設置済水路本体の左右側壁の外側面より内側に沿った左右側壁部及びその下層部のベース部をカッターにより長手方向にわたって所定長を垂直に切断し、先行して切断した長手方向に直交する短手方向を水路本体及びその下層部となるベース部をカッターにより長手方向一定間隔毎に前後にわたって垂直に切断し、長手方向左右及び短手方向前後が既存の設置済水路から分離された撤去コンクリートユニットを形成し、該撤去コンクリートユニットを残存させた該左右側壁片及びその下層部のベース部片より分離して撤去し、該撤去空間に該撤去コンクリートユニットの短手方向幅よりやや小さめの幅を有する新水路をベース部の高さを調整した後に設置し、上記により残存させた左右側壁片と新水路の左右外側壁との小空間にモルタルを充填して連続一体化してなることを特徴とする水路の撤去及び撤去部への新設工法。
【請求項２】
既存の不具合の生じた設置済水路本体の左右いずれかの側壁の外面部より内側に沿った側壁部及びその下層部となるベース部をカッターにより長手方向にわたって所定長を垂直に切断し、更に、水路の取水口よりカッターを降下させて水路内側の底部及びその下層部となるベース部を長手方向にわたって垂直に切断し、先行して切断した長手方向に直交する短手方向を水路本体及びその下層部となるベース部をカッターにより長手方向一定間隔毎に前後にわたって垂直に切断し、短手方向前後が既存の設置水路から分離した第１半割撤去コンクリートユニットと、上記長手方向の左右のいずれかの内の残った側の水路を既存の設置水路から分離した第２半割撤去コンクリートユニットとを形成し、上記第１半割撤去コンクリートユニットを残存させた該左右側壁片のいずれか及びその下層部のベース部片より分離して撤去し、上記第２半割撤去コンクリートユニットを斜め上方より既存の水路より分離して撤去し、該撤去空間に該第１、第２半割撤去コンクリートユニットを合わせた短手方向幅よりやや小さめの幅を有する新水路をベース部の高さを調整した後に設置し、上記により残存させた左右側壁片のいずれかと新水路の左右外側壁のいずれかの小空間にモルタルを充填して連続一体化してなることを特徴とする請求項１記載の水路の撤去及び撤去部への新設工法。
【請求項３】
撤去部の新水路は、既設の水路と同一形状の縮小した相似形状のものとしたことを特徴とする請求項１又は２記載の水路の撤去及び撤去部への新設工法。
【請求項４】
撤去部の新水路は、水路の上面に複数個の矩形状の取水口を設けた蓋を有する囲繞体とし、その内側は下方側を半円形状の断面略馬蹄形状の周壁となる連続空間としたことを特徴とする請求項１又は２記載の水路の撤去及び撤去部への新設工法。
【発明の詳細な説明】
【技術分野】
【０００１】
本発明は、長手方向において連続延設された水路において損傷が生じた特定区間のみの水路を他と分離して撤去し、その撤去部に新しい水路を設ける水路の撤去及び撤去部への新設工法に関する。
【背景技術】
【０００２】
道路の側溝或いはトンネル内道路の側溝等に設けられている水路は、昭和４０年代より継続使用されているものも多く、水路完成後４０年を経過することにより経年劣化しているもの、また、周辺部の不具合や衝撃等の何等かの外部要因により様々な損傷が生じているものが多く見受けられる。
【０００３】
例えば、水路の表面側には取水口となる連続した開口部が露出しているが、該取水口を形成する上部の左右側壁は片持ち部となっており構造的に弱い部分で、当該部分が損傷又は崩落し、通常６０ｍｍ前後の取水口の開口幅が２００ｍｍ幅程度に至るまで拡開する現象が生じている。
【０００４】
取水口が上記のように拡開すると、二輪車や軽自動車のタイヤ脱輪の危険性が生じることになる。この拡開する原因は、もともと構造的に強度の弱い箇所であることに加え、経年使用による表面側のコンクリートの劣化や鉄筋腐食等も一因とされている。
【０００５】
また、長手方向に連続する水路の所定区間において地盤や基礎の不具合により水路全体が沈下し、道路面との間に段差が生じたり、水路本体の下方側に損傷が生じているケースも発生している。上記不具合の一因として、盛土路盤の沈下や水路を支持する基盤等の沈下に伴うもの等がある。
【０００６】
上記表面側の取水口や取水口周りの不具合に対しては、損傷又は崩落した箇所に別体の蓋を被せる補修工法が行われている。そのために水路の上部の一定厚をはつり取り、所定厚のグレーチング蓋を取り付けたり、また、排水がスムーズに行われることを考慮して縞鋼板蓋を取り付けること等が行われている。
【０００７】
前者のグレーチング蓋にあっては、一般的な材料を利用できる利点があり、後者の縞鋼板蓋にあっては、既存の水路に縞鋼板をアンカーボルトで取り付けるだけですみ、いずれも緊急を要する不具合箇所の対処としての施工性に優れており、また、縞鋼板蓋に設置している取水口となる呑み口は十分な排水能力を持っており、同様の開口部を持つ矩形水路と同様の３６０ｍｍ／時間の降雨量にも排水可能であることが実験によって確認されている。
【０００８】
しかし、前者にあっては、水路上部のはつり取りに時間と労力と精確性を必要とし、施工能力と経済性に難点があり、はつり取りに際して水路本体を傷める危険性を伴うものであった。
【０００９】
また、後者にあっては、水路の短手方向となる縦断勾配が変化して水が溜まることが想定されるし、また、水路の内側が損傷を受けている場合は、漏水を起こし、水路の沈下、路盤への悪影響等が懸念されている。
【００１０】
更に、水路の下方部が損傷を受けている場合や水路全体が陥没した場合等には、該水路を破壊して全体を取り替える必要があるが、正常な区間との境い目の対応が難しく、はつりによって撤去区画と残存させる正常区画との分離確定の施工には正常な水路にも悪影響を与えてしまうおそれが多分にあった。
【００１１】
下記する特許文献１は、図１０に示すように、取水口部分のコンクリートの一部破損した場合の補修工法を示している。水路Ａにおける取水口Ｂの開口部を塞ぐ金属製蓋板Ｃと、該水路Ａの曲面にほぼ沿った円弧状で該取水口Ｂの幅より狭い幅の金属製固定金具Ｄと、該金属製固定金具Ｄと金属製蓋板Ｃの中央部同士を繋ぐ締付ボルトＥとナットＦとで構成した水路補修金具を使用し、該水路Ａにおける取水口Ｂ部分のコンクリートが破損して欠けた部分を塞いだ状態で該金属製蓋板Ｃを固定することができ、取水口における破損した部分の開口部に蓋板を被せるだけで簡単に補修できるようにしている。
【００１２】
しかし、上記したように、水路の内側や下方部に損傷が生じた場合や本体全体が陥没した場合等には、この補修工法では対応することができなかった。
【先行技術文献】
【特許文献】
【００１３】
【特許文献１】実用新案登録第３１９４０２０号公報
【発明の概要】
【発明が解決しようとする課題】
【００１４】
本発明は、上記欠点を解決したもので、正常な水路に損傷を与えることなく不具合の生じた水路部分のみを、その一部を残して撤去し、撤去した区間には一部残した部分とその後に設置する別途新設のプレキャスト水路とを一体化させることで既設の水路と連続した水路を完成させることができるようにしたものである。
【課題を解決するための手段】
【００１５】
本発明は、既存の不具合の生じた設置済水路本体の左右側壁の外側面より内側に沿った左右側壁部及びその下層部のベース部をカッターにより長手方向にわたって所定長を垂直に切断し、先行して切断した長手方向に直交する短手方向を水路本体及びその下層部となるベース部をカッターにより長手方向一定間隔毎に前後にわたって垂直に切断し、長手方向左右及び短手方向前後が既存の設置済水路から分離された撤去コンクリートユニットを形成し、該撤去コンクリートユニットを残存させた該左右側壁片及びその下層部のベース部片より分離して撤去し、該撤去空間に該撤去コンクリートユニットの短手方向幅よりやや小さめの幅を有する新水路をベース部の高さを調整した後に設置し、上記により残存させた左右側壁片と新水路の左右外側壁との小空間にモルタルを充填して連続一体化してなる水路の撤去及び撤去部への新設工法を特徴とする。
【００１６】
また、既存の不具合の生じた設置済水路本体の左右いずれかの側壁の外面部より内側に沿った側壁部及びその下層部となるベース部をカッターにより長手方向にわたって所定長を垂直に切断し、更に、水路の取水口よりカッターを降下させて水路内側の底部及びその下層部となるベース部を長手方向にわたって垂直に切断し、先行して切断した長手方向に直交する短手方向を水路本体及びその下層部となるベース部をカッターにより長手方向一定間隔毎に前後にわたって垂直に切断し、短手方向前後が既存の設置水路から分離した第１半割撤去コンクリートユニットと、上記長手方向の左右のいずれかの内の残った側の水路を既存の設置水路から分離した第２半割撤去コンクリートユニットとを形成し、上記第１半割撤去コンクリートユニットを残存させた該左右側壁片のいずれか及びその下層部のベース部片より分離して撤去し、上記第２半割撤去コンクリートユニットを斜め上方より既存の水路より分離して撤去し、該撤去空間に該第１、第２半割撤去コンクリートユニットを合わせた短手方向幅よりやや小さめの幅を有する新水路をベース部の高さを調整した後に設置し、上記により残存させた左右側壁片のいずれかと新水路の左右外側壁のいずれかの小空間にモルタルを充填して連続一体化してなる水路の撤去及び撤去部への新設工法を特徴とする。
【００１７】
更に、撤去部の新水路は、既設の水路と同一形状の縮小した相似形状のものとした水路の撤去及び撤去部への新設工法を特徴とする。
【００１８】
また、撤去部の新水路は、水路の上面に複数個の矩形状の取水口を設けた蓋を有する囲繞体とし、その内側は下方側を半円形状の断面略馬蹄形状の周壁となる連続空間とした水路の撤去及び撤去部への新設工法を特徴とする。
【発明の効果】
【００１９】
本発明の水路の撤去及び撤去部への新設工法により、不具合の生じた水路の所定区間のみを、残存させる水路に振動や衝撃を与えることなく撤去でき、且つ、残存水路の短手方向端部面を垂直切断することができるので、撤去した空間部に新しいプレキャスト製水路を上方から設置して残存水路と連結一体化させることを可能とし、不具合の生じた部分のみを新設のプレキャスト製水路に置き換えることが簡単にできるようになった。
【００２０】
また、左右側壁部の長手方向において、その一部を残して切断するので、カッターが周囲の地盤面と接することがないので土砂等の摩擦抵抗によりカッターの回転不具合が生じることがなく、且つ、残された水路の一部となる残存させた左右側壁片或いはそのいずれかと新設の水路の間をモルタル充填することで残された水路と一体性が得られ、当該部分において不具合が生じることなく新旧連続した水路を得ることが可能となった。
【００２１】
更に、上記水路の撤去及び撤去部への新設工法により、不具合部分を短時間で撤去でき、且つ、その後の新設水路の残存水路との連続一体化も短時間で行うことができるようになり、不具合に伴う改修施工を速やかに行うことができ、車両の交通規制等の時間を極めて短くすることが可能となった。
【図面の簡単な説明】
【００２２】
【図１】（ａ）既設水路の左右側壁部側を垂直切断する状態を示す断面図、（ｂ）その切断を長手方向にわたって連続した状態を示す斜視図。
【図２】（ａ）既設水路の短手方向を垂直切断する状態を示す側面図、（ｂ）、（ｃ）短手方向における垂直切断の水路とブレードとの関係を示す断面図。
【図３】本工法に使用する第２回転刃切断機を示す斜視図。
【図４】水路にパイロット孔を形成した状態を示す平面図。
【図５】撤去コンクリートユニットを撤去する状態を示す斜視図。
【図６】撤去後の空間に新設水路を設置した状態を示す断面図。
【図７】撤去コンクリートユニットの撤去後における空間の幅方向を保持する状態を示す断面図。
【図８】他の実施例の断面図。
【図９】（ａ）他の新設水路の断面図、（ｂ）同斜視図。
【図１０】水路改修の従来例を示す断面図。
【発明を実施するための形態】
【００２３】
以下、本発明をその実施の形態を示す図面に基づいて説明する。
【実施例１】
【００２４】
図１（ａ）は、不具合の生じた既設の水路１の所定区間を撤去する工法を示す断面図で、まず、不具合の生じた既設の水路１の長手方向の左右側壁側に、第１回転刃切断機２のブレード３の回転降下により該水路１の左右側壁外面４、５より各々約３０ｍｍの内側となる位置の上面６よりベース部７の底面８に至るまで垂直に切断し、左右側壁側に左右長手方向垂直切断部９、１０が形成されるようにする。該ベース部７は、水路１を設置するにあたり、それを支持するために先行して形成した基版となっているものである。
【００２５】
上記により、左右側壁外面４、５より内側となる位置及びベース部７の左右端部側を、図１（ｂ）に示すように、不具合の生じた既設の水路１の長手方向全長にわたって先行して左右長手方向垂直切断部９、１０を形成する。これにより、長手方向において左側壁片１１、右側壁片１２、左ベース部片１３及び右ベース部片１４が撤去部と分離された状態となる。この長手方向に沿って左右側壁側を切断をしても既存の水路１に傾斜や沈下等の新たな不具合が生じることはない。上記左右側壁片１１、１２及び左右ベース部片１３、１４を残す左右長手方向垂直切断部９、１０を形成する切断作業は、撤去しようとする水路区画を先行して同一の作業を連続的に行うこととなるので効率的な施工が可能となる。
【００２６】
次に、図２（ａ）に示すように、上記長手方向の垂直切断工程により予め切断した左右側壁側の長手方向の切断位置に対して直交する方向となる短手方向の位置に所定間隔毎に第２回転刃切断機１５によるブレード１６の降下により不具合の生じた既設の水路１をベース部７の底面８に至るまで切断する。
【００２７】
図２（ｂ）、（ｃ）の断面図に示すように、該ベース部７の底面８に至るまでブレード１６を回転降下させることにより、既設水路１全体を短手方向において垂直に切断することができる。該ブレード１６がベース部７の底面８に到達することにより水路１下方の左右側壁側に配筋した長手方向の耐力筋１７を切断することが可能となる。上記のように、耐力筋１７を切断する位置まで円盤状のブレード１６を回転降下させることでベース部７の底面８全域にまで刃先を到達させることができる。
【００２８】
該第２回転刃切断機１５は、図３に示すように、支柱１８に沿って上下動する軸１９に回転自在に固定されたブレード１６を有し、図４に示すように、撤去する水路１の第１短手方向垂直切断部２０の予定位置に接した位置に、パイロット孔２１を先行して形成し、該ブレード１６の回転降下に従って該パイロット孔２１内に該支柱１８が入り込むことで該ブレード１６の下降を可能とし、水路１を垂直に奥深くまで切断することができ、第１短手方向垂直切断部２０を形成することができる。
【００２９】
該第１短手方向垂直切断部２０の切断終了後、長手方向において所定間隔離れた後方位置の水路１を上記と同様、ブレード１６の回転降下により第２短手方向垂直切断部２２となる切断箇所を形成することになる。第２回転刃切断機１５の設置方法は、第１短手方向垂直切断部２０の切断時と同様、パイロット孔２３を設けて行うことになる。
【００３０】
後方位置となる第２短手方向垂直切断部２２を形成することにより、先行して左右側壁側に形成した左右長手方向垂直切断部９、１０及び該第１、第２短手方向垂直切断部２０、２２により水路１のコンクリートブロック塊となる矩形状第１撤去コンクリートユニット２４が水路１から分離された状態で形成される。該第１撤去コンクリートユニット２４の長手方向における寸法は、一般的な昇降機２５となるクレーン等で吊り上げることができる重量によって決定され、例えば、約２ｍ程の長手方向の寸法等が適宜選択される。
【００３１】
第１撤去コンクリートユニット２４を撤去するには、図５に示すように、該第１撤去コンクリートユニット２４の吊り上げ時に荷重の偏重が生じない上面６の位置に、アンカー等の連結具２６、２７、２８、２９を予め固定し、該連結具２６乃至２９と昇降機２５の吊り上げ部とを紐状体３０を介して連結することで吊り上げ撤去が可能となる。少なくとも３ｔ程度のものを吊り上げるのに有効なものを使用する。チェーンやワイヤー等よりなる紐状体３０を予め昇降機２５と連結し、それらを連結具２６乃至２９とも連結しておくことになる。
【００３２】
第１撤去コンクリートユニット２４は、長手方向においては左右長手方向垂直切断部９、１０により、短手方向においては前後短手方向垂直切断部２０、２２により既設水路１との縁切りが行われ、底部側においてはベース部７の底面８が地盤と連続されている設置面となっているので、該昇降機２５の上昇力により地盤との縁切りを行うことができ、撤去することが可能となる。
【００３３】
必要に応じて、昇降機２５を上下左右に揺動させることで第１撤去コンクリートユニット２４を左右側壁片１１、１２や左右ベース部片１３、１４及び地盤との縁切りを確実なものとして上昇させることができる。
【００３４】
上記のように、第１撤去コンクリートユニット２４を連結具２６乃至２９及び紐状体３０を介して該昇降機２５によって吊り上げ上昇させ、第１撤去コンクリートユニット２４を既設水路１から分離撤去することができる。
【００３５】
前記と同様、水路１の長手方向所定寸法離れた後方位置の短手方向に、第２回転刃切断機１５によるブレード１６の回転降下により該水路１の上面６よりベース部７の底面８に至るまで第３短手方向垂直切断部３１を形成する。
【００３６】
該第３短手方向垂直切断部３１の形成は、上記第１、第２短手方向垂直切断部２０、２２と同様、先行してパイロット孔を形成し、該パイロット孔を利用したブレード１６の回転降下により行うことになる。上記短手方向垂直切断部の形成は、水路１の撤去区間となる所定長において所定間隔毎にわたって予め連続して形成しておくことにより上記した昇降機２５による撤去作業を順次効率的に行うことができる。
【００３７】
第１撤去コンクリートユニット２４の吊り上げ撤去終了後、第２、第３短手方向垂直切断部２２、３１によって形成された第２撤去コンクリートユニット３２は、上記と同様の工法により既設水路１の設置位置から分離撤去することになる。
【００３８】
上記工法により第１撤去コンクリートユニット２４、第２撤去コンクリートユニット３２、…の撤去後、その空間部３３に新設の水路を設置し、既設の水路と連続一体化させた水路を形成することになる。
【００３９】
水路１の不具合箇所となった区間を第１撤去コンクリートユニット２４、第２撤去コンクリートユニット３２、…に分割して撤去した後、図６に示すように、残存する左右の側壁片１１、１２、下部に残存する左右のベース部片１３、１４間及びその間の地盤３４上に生じる空間部３３に新設水路３５を設置することになる。該新設水路３５は、プレキャスト製の水路よりなり、上方より空間部３３内に降下させて設置する。空間部３３の幅が先に設置してある水路１の幅より狭くなっているので既設の水路１よりやや小さめの幅となる新設水路３５を採用することになる。
【００４０】
例えば、既設の水路１幅が５５０ｍｍの場合、新設水路３５の幅は４７０ｍｍのものとする。残存させた左右側壁片１１、１２の幅を各々３０ｍｍとすると新設水路３５と該左右側壁片１１、１２間に各々１０ｍｍ幅の左右小空間３６、３７を形成して設置することが可能となる。
【００４１】
また、新設水路３５の水路幅が小さくなると既設の水路３５にあってはその高さも低くなるので、地盤３４上に水路上面３８を既設の水路１の上面６と面一とさせるために高さ調整を行い、左右ベース部片１３、１４の厚さより厚手の基盤となる新設ベース部３９を形成することになる。
【００４２】
上記新設水路３５を空間部３３に設置後、高さ調整して上面６，３８を面一とした後、該左右小空間３６、３７にモルタルを打設し、左右側壁片１１、１２と新設水路３５とを一体化させることになる。また、長手方向において生じる既設水路１と新設水路３５及び新設水路３５間の空間もモルタル等により一体化させることになる。
【００４３】
上記実施例において、短手方向の垂直切断を、左右側壁片１１、１２を長手方向全長にわたって連続的に残存させることでその後の新設水路と連続一体化を図ることが可能であることは言うまでもない。
【００４４】
上記工程において、左右側壁片１１、１２は各々左右ベース部片１３、１４と連結状態を維持し、その左右側壁外面４、５は周側部及び下層の地盤と一体化されているので、内側へ傾斜又は倒れるおそれはないが、図７に示すように、施工上じゃまとならない両者間にスペーサー４０を配設し、楔４１等にて間隔を調整して左右側壁片１１、１２間を一定寸法に保持させておくことが場合によっては可能である。
【実施例２】
【００４５】
図８に示す実施例は、例えば、トンネルの内側等において、水路の長手方向片側に立ち上がりの有る縁部や側壁或いは手摺等が存在した場合、当該部分に第１回転刃切断機２を使用できない場合が生じることがある。この場合、障害物のない左右長手方向のいずれかを先行切断し、その後、水路１の取水口４２よりカッターを挿入降下し、水路内側の底部４３及びその下層部となるベース部７を底面８まで長手方向に切断する。これにより不具合の生じた既設水路１は半割となる第１、第２半割コンクリートユニット４４、４５が形成されることになる。
【００４６】
第１半割コンクリートユニット４４は、上記実施例１と同様の方法により撤去することが可能となる。他方、第２半割コンクリートユニット４５は、該底部４３側にアンカー４６を固定し、該アンカー４６に紐状体を掛けて斜め上方側に牽引することで第２半割撤去コンクリートユニット４５を周辺地盤より分離させて撤去させることができる。
【００４７】
第３、第４半割コンクリートユニット、…を上記同様に撤去することにより不具合となった水路の所定区間を撤去することができる。
【００４８】
本実施例の場合、撤去コンクリートユニットは第１、第２半割撤去コンクリートユニット４４、４５となるので、短手方向の切断間隔を長くすることが可能となる。
【実施例３】
【００４９】
上記実施例では、新設水路を既設水路と同様の断面形状の縮小した相似形状のものとし、上面形状も同様のものを使用して連続水路としたが、他の形状の水路を採用することができる。
【００５０】
図９（ａ）、（ｂ）に示す新設水路４７は、水路内側の断面形状として、その周壁の全体形状が断面略馬蹄形状となるＵ字形状としたもので、下方部を半円形状を形成する円弧部４８、左右内側側壁部４９、５０を略垂直状に立ち上げ、上方側に蓋部５１を設けた長手方向に連続する空間を形成している。
【００５１】
左右内側側壁部４９、５０と一体化した蓋部５１には、所定間隔毎に略馬蹄形状の空間に連通する独立した排水孔５２を設けている。該排水孔５２は、矩形形状で、且つ、例えば、４０ｍｍ（長手方向）×１００ｍｍ（短手方向）の大きさとすることにより、短手方向の鉄筋の配筋間隔に影響を与えることなく水路本体の強度を大きく増加させると同時に、排水のための所定量の取水口としての機能を有し、且つ、小径の木材やロープ等の長尺ものや他の大きめの塵芥等の不純物が新設水路４７内に入り込むことを防止することができる新設水路４７である。
【００５２】
上記形状の新設水路４７を採用することにより、該新設水路４７内に溜まる不純物の量を著しく少なくすることができ、清掃作業を減少させることが可能となる。従来より水路の所定間隔毎に桝を設けることが一般化されているが、将来的には桝の除去につながり、本発明による不具合部分の撤去を繰り返すことにより上記新設水路４７のみによる強度に優れた桝の要らない連続した水路を形成することが可能となる。
【符号の説明】
【００５３】
１            水路
２            第１回転刃切断機
３、１６      ブレード
４            左側壁外面
５            右側壁外面
６、３８      上面
７            ベース部
８            底面
９            左長手方向垂直切断部
１０          右長手方向垂直切断部
１１          左側壁片
１２          右側壁片
１３          左ベース部片
１４          右ベース部片
１５          第２回転刃切断機
１７          耐力筋
１８          支柱
１９          軸
２０          第１短手方向垂直切断部
２１、２３    パイロット孔
２２          第２短手方向垂直切断部
２４          第１撤去コンクリートユニット
２５          昇降機
２６乃至２９  連結具
３０          紐状体
３１          第３短手方向垂直切断部
３２          第２撤去コンクリートユニット
３３          空間部
３４          地盤
３５、４７    新設水路
３６          左小空間
３７          右小空間
３９          新設ベース部
４０          スペーサー
４１          楔
４２          取水口
４３          水路内側底部
４４          第１半割撤去コンクリートユニット
４５          第２半割撤去コンクリートユニット
４６          アンカー
４８          円弧部
４９          左内側側壁部
５０          右内側側壁部
５１          蓋部
５２          排水孔
【図１】
2018062781.tif 000003
【図２】
2018062781.tif 000004
【図３】
2018062781.tif 000005
【図４】
2018062781.tif 000006
【図５】
2018062781.tif 000007
【図６】
2018062781.tif 000008
【図７】
2018062781.tif 000009
【図８】
2018062781.tif 000010
【図９】
2018062781.tif 000011
【図１０】
2018062781.tif 000012